(57)【要約】【課題】  ユーザに多様なコンテンツを配信することで、変化に富んだ、娯楽性の高いコンテンツを配信して、Ｗｅｂページ等のアクセス数を向上させることができるコンテンツ配信システムを提供する。【解決手段】  まず、写真プリント１６にプリントされたＱＲコード１２が携帯電話機１８によって撮影され、占いコンテンツへのアクセス情報が読み取られる（ステップＳ５０）。そして、このアクセス情報とユーザＩＤとがコンテンツ配信システム１０に送信されると、ユーザの認証が行われる（ステップＳ５２）。なお、ユーザＩＤもＱＲコード１２に埋め込まれていてもよい。次に、計時部３８からアクセス日の情報が取得されて（ステップＳ５４）、アクセス日に対応する日、週、月等の運勢を示す占いコンテンツが読み込まれる（ステップＳ５６）。そして、この占いコンテンツは、携帯電話機１８に送信されて表示される（ステップＳ５８）。なお、占いコンテンツの種類（週運、月運等）は、携帯電話機１８からの操作入力によって選択可能となっている。【選択図】      図６
2006107116.tif 000002
【特許請求の範囲】
【請求項１】
ユーザに固有のユーザ識別情報を生成するユーザ識別情報生成手段と、
ユーザの個人情報と、前記ユーザ識別情報とを関連付けて登録する個人情報登録手段と、
前記個人情報登録手段に登録されたユーザの個人情報に基づいて、前記ユーザの占いコンテンツを生成する占いコンテンツ生成手段と、
前記占いコンテンツと、前記ユーザ識別情報とを関連付けて記憶する占いコンテンツ記憶手段と、
前記占いコンテンツ記憶手段にアクセスする際のアクセス情報が埋め込まれた２次元コードを発行する２次元コード発行手段と、
前記２次元コードをプリントするプリント手段と、
前記２次元コードのアクセス情報に従ってアクセスしたユーザ端末からのアクセスを受け付けて、前記ユーザ端末から送信された前記ユーザ識別情報に基づいて前記ユーザ端末に前記占いコンテンツを配信する占いコンテンツ配信手段と、
を備えることを特徴とするコンテンツ配信システム。
【請求項２】
ユーザ端末からのアクセスが受け付けられた際に、アクセス日や時刻の情報を取得する日時情報取得手段を更に備え、
前記占いコンテンツ生成手段は、前記ユーザの個人情報に基づいて、年、月又は日ごとの占いコンテンツを生成し、
前記占いコンテンツ配信手段は、前記ユーザ端末によりアクセスされた年月日に対応した占いコンテンツを配信することを特徴とする請求項１記載のコンテンツ配信システム。
【請求項３】
前記２次元コード発行手段は、前記アクセス情報とともに、前記ユーザ識別情報が埋め込まれた２次元コードを発行することを特徴とする請求項１又は２記載のコンテンツ配信システム。
【発明の詳細な説明】
【技術分野】
【０００１】
本発明はコンテンツ配信システムに係り、特に２次元コード等に埋め込まれたアクセス情報に基づいてアクセスしてきた携帯電話機等にコンテンツを配信するコンテンツ配信システムに関する。
【背景技術】
【０００２】
従来、バーコードを読み取って画像や文字などのコンテンツを配信する情報システムが考案されている。例えば、特許文献１の情報提供システムは、バーコードが印刷されたカード、葉書、ポスター、雑誌などの表示媒体と、バーコードを読み取るバーコードリーダと、読み取られた情報を送信し、返送された情報を表示・出力する端末装置と、端末装置と通信ネットワークを介して接続しバーコードに対応する情報を保存・蓄積する配信情報データベースと、カードなどの表示媒体の作成を申し込む手段と、返送する情報をデータベースに登録・保存する手段と、バーコードに対応する情報を端末装置に送信する手段と、ユニークなバーコードの生成手段とを備えている。
【特許文献１】特開２００２−３１２２６９号公報
【発明の開示】
【発明が解決しようとする課題】
【０００３】
しかしながら、上記の特許文献１に開示された情報提供システムは、Ｗｅｂページ等を通じて配信情報データベースにあらかじめ保存・蓄積された情報を提供するのみであり、多様な情報を生成して提供することはできなかった。したがって、バーコードが印刷されたカード等を受け取ったユーザは、情報の配信を行うＷｅｂページ等を繰り返し閲覧することはなかった。
【０００４】
本発明はこのような事情に鑑みてなされたもので、ユーザに多様なコンテンツを配信することで、変化に富んだ、娯楽性の高いコンテンツを配信して、Ｗｅｂページ等のアクセス数を向上させることができるコンテンツ配信システムを提供することを目的とする。
【課題を解決するための手段】
【０００５】
上記目的を達成するために請求項１に係るコンテンツ配信システムは、ユーザに固有のユーザ識別情報を生成するユーザ識別情報生成手段と、ユーザの個人情報と、前記ユーザ識別情報とを関連付けて登録する個人情報登録手段と、前記個人情報登録手段に登録されたユーザの個人情報に基づいて、前記ユーザの占いコンテンツを生成する占いコンテンツ生成手段と、前記占いコンテンツと、前記ユーザ識別情報とを関連付けて記憶する占いコンテンツ記憶手段と、前記占いコンテンツ記憶手段にアクセスする際のアクセス情報が埋め込まれた２次元コードを発行する２次元コード発行手段と、前記２次元コードをプリントするプリント手段と、前記２次元コードのアクセス情報に従ってアクセスしたユーザ端末からのアクセスを受け付けて、前記ユーザ端末から送信された前記ユーザ識別情報に基づいて前記ユーザ端末に前記占いコンテンツを配信する占いコンテンツ配信手段とを備えることを特徴とする。
【０００６】
請求項１に係るコンテンツ配信システムによれば、２次元コードがプリントされた商品を注文したユーザに対して、変化に富んだ、娯楽性の高い占いコンテンツを配信することができるため、アクセス数の向上と、宣伝効果が期待できる。
【０００７】
請求項２に係るコンテンツ配信システムは、請求項１において、ユーザ端末からのアクセスが受け付けられた際に、アクセス日や時刻の情報を取得する日時情報取得手段を更に備え、前記占いコンテンツ生成手段は、前記ユーザの個人情報に基づいて、年、月又は日ごとの占いコンテンツを生成し、前記占いコンテンツ配信手段は、前記ユーザ端末によりアクセスされた年月日に対応した占いコンテンツを配信することを特徴とする。
【０００８】
請求項２に係るコンテンツ配信システムによれば、携帯電話等のユーザ端末によってアクセスされた日付等によって異なるコンテンツが配信される。
【０００９】
また、請求項３に係るコンテンツ配信システムは、請求項１又は２において、前記２次元コード発行手段は、前記アクセス情報とともに、前記ユーザ識別情報が埋め込まれた２次元コードを発行することを特徴とする。
【００１０】
請求項３に係るコンテンツ配信システムによれば、ユーザ識別情報をユーザ端末から入力する手間が省けるという利点がある。
【発明の効果】
【００１１】
本発明によれば、２次元コードがプリントされた商品を注文したユーザに対して、変化に富んだ、娯楽性の高い占いコンテンツを配信することができる。これにより、本発明のコンテンツ配信システムの運営者のＷｅｂページに対するアクセス数の向上を図ることができ、宣伝効果を上げることができる。
【発明を実施するための最良の形態】
【００１２】
以下、添付図面に従って本発明に係るコンテンツ配信システムの好ましい実施の形態について説明する。
【００１３】
図１は、本発明の一実施形態に係るコンテンツ配信システムを模式的に示す図である。図１に示すコンテンツ配信システム１０は、音声や静止画、動画等のコンテンツへのアクセス情報が埋め込まれた２次元コード（ＱＲコード）１２がユーザ端末（ＰＣ等。図２の符号２０）からアップロードされる画像１４とともにプリントされた写真プリント１６を販売するとともに、コンテンツを配信するためのスペースを提供するためのものである。この写真プリント１６を購入した注文者や、この写真プリント１６を注文者から配布されたコンテンツ受信者は、コンテンツ取得装置（カメラ付き携帯電話機等。以下の説明では、単に携帯電話機という）１８を用いてこのＱＲコード１２を撮影することによりコンテンツの配信を受けることができる。
【００１４】
図２は、コンテンツ配信システム１０を示すブロック図である。図２に示すように、コンテンツ配信システム１０は、制御部２２と、Ｗｅｂサーバ２４と、認証部２６と、コンテンツデータベース（コンテンツＤＢ）２８と、管理データベース（ＭＤＢ）３０と、占いコンテンツ生成部３２と、コード発行部３４と、プリンタ３６と、計時部３８等を備えている。
【００１５】
制御部（ＣＰＵ）２２は、コンテンツ配信システム１０内の各部とバス４０を介して接続されており、各部の動作制御を行う。また、計時部３８は、日付や時間情報を取得する機能部である。
【００１６】
Ｗｅｂサーバ２４は、ユーザ端末２０のブラウザに入力されたＵＲＬ（Uniform Resource Locator）によって特定されるＷｅｂページをユーザ端末２０に送信する。
【００１７】
認証部２６は、ユーザ端末２０にユーザＩＤ等の認証情報を割り当て、ユーザ端末２０から上記のＷｅｂページの入力フォームに入力されたユーザ識別情報（ユーザＩＤ及びパスワード）によりユーザ端末２０のコンテンツ配信システム１０への接続を認証する。なお、本実施形態においては、ユーザ端末２０からの接続の認証に用いられるユーザ識別情報は、ユーザＩＤ及びパスワードのほか、生体認証情報（例えば、指紋情報）等やこれらの組み合わせであってもよい。
【００１８】
コンテンツＤＢ２８には、ユーザ端末２０からコンテンツ配信システム１０にアップロードされる画像と合成するためのテンプレート画像、及びテンプレート画像と関連付けられたテンプレート音声ファイルを含むテンプレート情報が記憶される。
【００１９】
ＭＤＢ３０には、認証部２６によって認証されたユーザ端末２０から送信されたユーザＩＤや、ユーザの個人情報、画像等の注文情報が記憶される。この画像は、ユーザ端末２０によってコンテンツＤＢ２８から選択されたテンプレート（テンプレート画像ファイル及びテンプレート音声ファイル）と合成される。この合成画像は、動画や音声を再生する携帯電話機１８用のアプリケーション（以下の説明では、音声再生アプリという）を作成する。この音声再生アプリはＷｅｂサーバ２４に格納される。
【００２０】
占いコンテンツ生成部３２は、ＭＤＢ３０に記憶されたユーザの個人情報に基づいて、携帯電話機１８用の占いコンテンツを生成する。ここで、占いコンテンツとは、例えば、ユーザの生年月日や血液型、性別、出身地等の個人情報に基づいて生成される星占いや干支占い、九星、動物占い等の結果を示すコンテンツである。この占いコンテンツは、配信期間（例えば、１年）が設定されており、占いコンテンツ生成部３２は、この配信期間内の日、週、月、季節又は年ごとの運勢等の占いコンテンツを生成する。なお、この配信期間は、ユーザが追加料金を支払うことにより延長可能となっていてもよい。また、占いコンテンツには、個人情報によらずに乱数等によって生成されるタロットカード占いやおみくじ、「本日の格言」等も含まれる。
【００２１】
コード発行部３４は、音声再生アプリや占いコンテンツの格納場所を示すＷｅｂページのＵＲＬ等を含むＱＲコードを発行する。このＱＲコード１２は、プリンタ３６により合成画像１４とともに写真プリント１６にプリントされる。
【００２２】
また、本実施形態のコンテンツ配信システム１０においては、携帯電話機１８により所望の通話音声を録音して画像と合成することもできる。
【００２３】
図３は、携帯電話機１８の主要構成を示すブロック図である。図３に示す携帯電話機１８は、ＣＰＵ５０と、通信Ｉ／Ｆ５２と、操作部５４と、カメラ５６と、表示部５８と、スピーカ６０と、マイク６２と、メモリ６４と、コードリーダ６６とを備える。
【００２４】
ＣＰＵ５０は、携帯電話機１８内の各部とバス６８を介して接続されており、各部の動作制御を行う。通信Ｉ／Ｆ５２は所定のプロトコルにしたがってネットワークを介して通信するためのインターフェースであり、操作部５４はユーザの操作入力を受け付けるボタン等である。
【００２５】
カメラ５６は画像を撮影するための装置であり、表示部５８はカメラ５６によって撮影された画像やコンテンツ配信システム１０より送信されたコンテンツを表示するモニタである。また、スピーカ６０は通話時やコンテンツ再生時に音声を出力する装置であり、マイク６２は通話時や音声録音時に音声を入力する装置である。
【００２６】
メモリ６４は、ＣＰＵ５０が処理するプログラム及び制御に必要な各種データ等が格納されるＲＯＭや、カメラ５６によって撮影された画像が記憶される記憶領域及びＣＰＵ５０が各種の演算処理等を行う作業用領域となるＳＤＲＡＭ等を含んでいる。
【００２７】
コードリーダ６６は、カメラ５６によってＱＲコードが撮影された際に、ＱＲコードに埋め込まれている情報を読み取る装置である。なお、本明細書では簡略のため、２次元コードとＱＲコードを同視して説明するが、ＱＲコードの代わりにＰＤＦ４１７・データコード・マキシコードなどの各種２次元コードを用いてもよい。携帯電話機１８がバーコードを読み取る手段を備えていれば２次元コードの代わりにバーコードを用いてもよい。
【００２８】
次に、コンテンツ配信システム１０に写真プリント１６を注文する方法について、図４を参照して説明する。図４は、プリント注文方法を示すシークエンス図である。
【００２９】
まず、ユーザ端末（ＰＣ等）２０により所定の認証情報（ユーザＩＤやパスワード等）が入力されて（ステップＳ１０）、コンテンツ配信システム１０に送信されると、コンテンツ配信システム１０によりユーザ端末２０が認証される（ステップＳ１２）。
【００３０】
次に、プリント注文する画像や画像と合成するためのテンプレートが選択されるとともに、プリント枚数や写真プリントの送付先等の注文情報がユーザ端末２０により入力される（ステップＳ１４）。これらの情報は、Ｗｅｂサーバ２４により受け付けられてＭＤＢ３０に記憶され、Ｗｅｂサーバ２４から送信された決済画面（例えば、クレジットカードや電子決済に関する情報を入力する画面）により決済処理が行われる（ステップＳ１６）。
【００３１】
その次に、コード発行部３４により画像と合成されるテンプレート等から生成された音声再生アプリや、プリント注文を行ったユーザの個人情報から生成された占いコンテンツの格納場所を示すＷｅｂページのＵＲＬ等を含むＱＲコードが生成され（ステップＳ１８）、プリンタ３６によりこのＱＲコードと画像が所定の用紙にプリントされて、図１に示すような写真プリント１６が作成される（ステップＳ２０）。そして、この写真プリント１６がユーザ側に送付される（ステップＳ２２）。
【００３２】
本実施形態においては、プリント注文時等に、占いコンテンツの生成に必要なユーザの個人情報を登録して、この個人情報に基づいて占いコンテンツが生成される。図５は、ユーザの個人情報の登録から占いコンテンツの生成までの工程を示すシークエンス図である。
【００３３】
まず、ユーザ端末（ＰＣ等）２０により所定の認証情報（ユーザＩＤやパスワード等）が入力されて（ステップＳ３０）、コンテンツ配信システム１０に送信されると、コンテンツ配信システム１０によりユーザ端末２０が認証される（ステップＳ３２）。
【００３４】
次に、ユーザ端末２０により個人情報の登録用のＷｅｂページが要求されると（ステップＳ３４）、Ｗｅｂサーバ２４によりユーザの個人情報の入力用のＷｅｂページがユーザ端末２０に送信され（ステップＳ３６）、ユーザ端末２０のモニタ等に表示される。ここで、個人情報とは、例えば、ユーザの生年月日や血液型、性別、出身地等の占いコンテンツを生成する際に必要な個人情報である。
【００３５】
そして、ユーザ端末２０によりこのＷｅｂページに個人情報が入力されて（ステップＳ３８）、コンテンツ配信システム１０に送信されると、ＭＤＢ３０にユーザの個人情報が記憶され（ステップＳ４０）、この個人情報に基づいて占いコンテンツが生成される（ステップＳ４２）。
【００３６】
次に、占いコンテンツの配信方法について、図６及び図７を参照して説明する。図６は、本実施形態の占いコンテンツの配信方法を示すシークエンス図である。
【００３７】
まず、図１に示すように、写真プリント１６にプリントされたＱＲコード１２が携帯電話機１８によって撮影され、占いコンテンツへのアクセス情報が読み取られる（ステップＳ５０）。そして、このアクセス情報とユーザＩＤとがコンテンツ配信システム１０に送信されると、ユーザの認証が行われる（ステップＳ５２）。なお、ユーザＩＤもＱＲコード１２に埋め込まれていてもよい。
【００３８】
次に、計時部３８からアクセス日の情報が取得されて（ステップＳ５４）、アクセス日に対応する日、週、月等の運勢を示す占いコンテンツが読み込まれる（ステップＳ５６）。そして、この占いコンテンツは、携帯電話機１８に送信されて表示される（ステップＳ５８）。なお、占いコンテンツの種類（週運、月運等）は、携帯電話機１８からの操作入力によって選択可能となっている。
【００３９】
図７は、占いコンテンツの表示画面の例を示す図である。図７には、アクセス日当日の運勢が表示されている。なお、この画面の表示とともに、携帯電話機１８のスピーカ６０を用いてその日の運勢に応じた音声を再生することもできる。なお、本実施形態においては、タロットカードやおみくじ等の乱数のみによって生成可能な占いコンテンツを配信することもできる。
【００４０】
本実施形態によれば、写真プリントを注文したユーザに対して、変化に富んだ占いコンテンツを配信することができる。これにより、コンテンツ配信システム１０の運営者のＷｅｂページに対するアクセス数の向上を図ることができ、宣伝効果を上げることができる。
【００４１】
なお、本実施形態においては、写真プリント１６にＱＲコード１２をプリントして占いコンテンツを配信するようにしたが、本発明はこれに限定されるものではなく、例えば、マグカップやチラシ、ポスター、ぬいぐるみ、名刺等の商品を販売するシステムにも本発明を適用することができる。
【図面の簡単な説明】
【００４２】
【図１】本発明の一実施形態に係るコンテンツ配信システムを模式的に示す図
【図２】コンテンツ配信システム１０を示すブロック図
【図３】携帯電話機１８の主要構成を示すブロック図
【図４】プリント注文方法を示すシークエンス図
【図５】ユーザの個人情報の登録から占いコンテンツの生成までの工程を示すシークエンス図
【図６】本実施形態の占いコンテンツの配信方法を示すシークエンス図
【図７】占いコンテンツの表示画面の例を示す図
【符号の説明】
【００４３】
１０…コンテンツ配信システム、１２…２次元コード（ＱＲコード）、１４…画像、１６…写真プリント、１８…コンテンツ取得装置（カメラ付き携帯電話機）、２０…ユーザ端末、２２…制御部、２４…Ｗｅｂサーバ、２６…認証部、２８…コンテンツデータベース（ＤＢ）、３０…管理データベース（ＭＤＢ）、３２…占いコンテンツ生成部、３４…コード発行部、３６…プリンタ、３８…計時部、５０…ＣＰＵ、５２…通信Ｉ／Ｆ、５４…操作部、５６…カメラ、５８…表示部、６０…スピーカ、６２…マイク、６４…メモリ、６６…コードリーダ、６８…バス
【図１】
2006107116.tif 000003
【図２】
2006107116.tif 000004
【図３】
2006107116.tif 000005
【図４】
2006107116.tif 000006
【図５】
2006107116.tif 000007
【図６】
2006107116.tif 000008
【図７】
2006107116.tif 000009